(57)【要約】【課題】  複雑な調光システムであっても迅速に構築することができ、予備の機器が発生せず、かつ演算処理による遅延が少ない調光データ処理装置を提供する。【解決手段】  各調光卓２から入力された調光信号を、照明機器の調光レベルデータ（Ｃｈａｎｎｅｌデータ）毎に処理するチャネルデータ処理装置１を介して、照明機器３が接続された複数の信号線上に出力する。つまり、各照明機器３において所望の調光レベルを実現できるように、各調光卓２から入力された複数のＤＭＸ信号から、夫々必要なＣｈａｎｎｅｌを選択して、それらの選択したＣｈａｎｎｅｌに格納された調光レベルデータを夫々読み出し、所定の処理を行い、再び一つＤＭＸ信号として、各信号線上に夫々出力するものである。また、このチャネルデータ処理装置１の処理を、遠隔に配置した外部装置４から設定できるようにする。【選択図】        図１
2005044639.tif 000002
【特許請求の範囲】
【請求項１】
照明機器の調光レベルデータを格納するためのデータ領域を複数備えた調光信号の入出力を行うと共に、その調光信号の処理を行わせるための制御指令を出力する制御ユニットと、その制御ユニットから出力される調光信号を前記制御指令に従って処理して、前記照明機器が接続された所定の信号線上に出力する複数の出力ユニットとを備えた調光データ処理システムであって、
前記制御ユニットは、前記複数の出力ユニットそれぞれにおける当該調光信号の処理についての設定情報を記憶したテーブルを複数格納すると共に、それら複数のテーブルのうち選択されたテーブルの情報を格納してなるユニット設定データ記憶部と、前記選択されたテーブルの情報を読み取り、その情報に従って当該選択されたテーブルを参照して、そのテーブルに記憶された設定情報を読み取り、その設定情報に従って各出力ユニットに当該調光信号の処理を行わせるための制御指令を作成する制御部とを備える一方、
前記出力ユニットは、当該制御ユニットから出力された調光信号から、それぞれ調光レベルデータを抽出して格納する入力データ用バッファと、その入力データ用バッファから読み出した所定の調光レベルデータに対し、当該制御ユニットから出力される制御指令に基づいて所定の処理を行って、当該調光信号における所定のデータ領域へ格納するための設定情報を記憶する設定データ記憶部と、
その設定データ記憶部に記憶された情報に基づいて、前記入力データ用バッファから複数の調光レベルデータを読み出し、前記データ領域に夫々格納されるように、当該複数の調光レベルデータの処理を行う制御部と、その制御部で処理された複数の調光レベルデータを格納し、それらの格納された調光レベルデータを当該調光信号として出力させるための出力データ用バッファと、を備えていることを特徴とする調光データ処理システム。
【請求項２】
前記ユニット設定データ記憶部は不揮発性メモリからなる一方、前記設定データ記憶部は揮発性メモリからなり、前記出力ユニットは、本システムの起動時に制御ユニットから出力ユニットに対して制御指令を出力して、当該設定データ記憶部に、調光レベルデータの処理を行う制御部により所定の処理を行って、当該調光信号における所定のデータ領域へ格納するための設定情報を記憶させることを特徴とする請求項１記載の調光データ処理システム。
【請求項３】
前記制御ユニットは、前記各出力ユニットのＩＤと動作状況を示す情報とを対応づけて記憶した動作管理テーブルを備え、その動作管理テーブルに記憶されたＩＤを用いてポーリングを行って、前記出力ユニットから動作中である旨の応答があった際に、当該動作管理テーブルに記憶されたその出力ユニットの動作状況を示す情報を参照して、停止中である旨の情報が記憶されている場合には、その出力ユニットの動作状況を示す情報を、動作中である旨の情報とすることを特徴とする請求項１又は請求項２記載の調光データ処理システム。
【請求項４】
前記制御ユニットは、ポーリングを行った際に複数の出力ユニットから応答があった場合には、それらの出力ユニットに対してエラー信号を出力し、そのエラー信号を受けた各出力ユニットは、ＩＤが重複して設定されている旨の表示若しくは警告音を鳴動させることを特徴とする請求項１乃至４何れか記載の調光データ処理システム。
【請求項５】
前記制御ユニットは、ポーリングを行った際に複数の出力ユニットから応答があった場合には、それらのＩＤの重複している出力ユニットに、未だ使用されていないＩＤリストを出力し、当該出力ユニットはその中からランダムにＩＤを取得することを特徴とする請求項１乃至４何れか記載の調光データ処理システム。
【請求項６】
前記出力ユニットは、所定の入力操作により前記設定データ記憶部に対して、その記憶部に記憶された情報を消去させる旨のリセット信号を出力する入力手段を備え、その入力手段からリセット信号が出力されると、そのリセット信号は、前記制御ユニットにも出力され、当該制御ユニットは、ユニット設定データ記憶部に格納された当該出力ユニットの設定情報を、その出力ユニットに対して送信することを特徴とする請求項１乃至５何れか記載の調光データ処理システム。
【請求項７】
前記出力ユニットは、前記調光データ処理システムに対して着脱自在であって、当該システムに取り付けたときに、設定データ記憶部に記憶された情報を参照して、何も記憶されていなければ、前記制御ユニットに対して情報設定要求を出力し、その設定要求を受けた制御ユニットは、ユニット設定データ記憶部に格納された当該出力ユニットの設定情報を、その出力ユニットに対して送信することを特徴とする請求項１乃至６何れか記載の調光データ処理システム。
【請求項８】
前記各出力ユニットを格納するための複数の収納スペースを備えたラックを備え、前記収納スペースの夫々には、前記出力ユニットに対してＩＤを付与するためのＩＤ表示部を備える一方、前記各出力ユニットは、そのＩＤ表示部からのＩＤを受けるためのＩＤ読取部を備えていることを特徴とする請求項１乃至７何れか記載の調光データ処理システム。
【請求項９】
前記各出力ユニットを格納するための複数の収納スペースを備えたラックを備え、当該ラックは、前記出力ユニットの格納を検知する格納検知部と、その検知を受けて複数のＩＤが記憶されたＩＤテーブルを参照し、空いているＩＤを順番に取得し出力する制御部と、その出力されたＩＤを出力ユニットへと出力するＩＤ送信部とを備える一方、出力ユニットは、ＩＤ送信部から出力されるＩＤを取得するためのＩＤ受信部を備えていることを特徴とする請求項１乃至７何れか記載の調光データ処理システム。
【請求項１０】
前記各出力ユニットを格納するための複数の収納スペースを備えたラックを具備し、さらに前記出力ユニットは、当該ラックに格納されたことを検知する格納検知部を備え、その格納検知部により、ラックに収納されたことを検知されると、制御ユニットに対して新規設定要求を送信し、当該制御ユニットでは、ユニット設定データ記憶部を参照して、順番に空いているＩＤを読み出して当該出力ユニットに送信し、その出力ユニットでは、そのＩＤを設定データ記憶部へと格納することを特徴とする請求項１乃至７何れか記載の調光データ処理システム。
【請求項１１】
前記制御ユニット及び前記各出力ユニットは、それぞれケーブルを介してカスケード接続されており、各出力ユニットは、電位差とＩＤとを対応づけたＩＤ設定テーブルを備え、制御ユニットから出力される信号の電位差を計測して、その電位差に基づいて前記ＩＤ設定テーブルを参照して、自己のＩＤを設定することを特徴とする請求項１乃至７何れか記載の調光データ処理システム。
【請求項１２】
前記制御ユニット及び前記各出力ユニットは、それぞれケーブルを介してカスケード接続されており、制御ユニットは、自己に接続された出力ユニットに対して、所定間隔をおいて発せられる基準パルスを含むＩＤ基準信号と、そのＩＤ基準信号と同一の所定間隔をおいて発せられる計測用パルスを含む計測用信号を出力する一方、
各出力ユニットは、複数のＩＤと複数の遅延時間とが対応づけられたＩＤテーブルを具備し、前記計測用信号の計測用パルスに遅延時間を与えて、ＩＤ基準信号の基準パルスのパルス間時間と、計測用信号の遅延時間を含んだ計測用パルスのパルス間時間とを比較して遅延時間を求め、その遅延時間から前記ＩＤテーブルを参照して自己のＩＤを設定すると共に、他の出力ユニットに対して、ＩＤ基準信号と遅延時間を含んだ計測用信号とを出力することを特徴とする請求項１乃至７何れか記載の調光データ処理システム。
【請求項１３】
前記制御ユニット及び出力ユニットをカスケード接続する複数の信号線を備え、夫々の信号線は２進数の各ビットが割り当てられており、前記出力ユニットは、制御ユニットから出力されるＩＤ信号に対して、各出力ユニット１ｎ毎にビットを１ずつ増加又は減少させるビット加減算回路を具備し、その加減算したビット数を自己のＩＤとして設定することを特徴とする請求項１乃至７何れか記載の調光データ処理システム。
【発明の詳細な説明】
【技術分野】
【０００１】
本発明は、調光卓から出力される調光信号を処理し、その処理された信号を、照明機器が接続された所定の信号線上に出力する調光データ処理システムに関するものである。
【背景技術】
【０００２】
従来から、図２０に示すように、複数の調光卓２から出力される調光信号を、照明機器３が接続された複数の信号線上に夫々出力するために、調光卓２から導出された信号線と接続する複数の入力端子と、照明機器３が接続された信号線と接続する複数の出力端子とを、夫々一対一で接続するためのパッチ盤２９と、一つの信号線上の調光信号を複数の信号線上に出力するスプリット３０と、入力された二つの調光信号から調光レベルの高いデータを選択して、一つの調光信号に合成するＭＩＸ装置３１とを備えた調光配線システムが知られている。
【０００３】
上述の調光信号としては、ＲＳ４８５の一種であるＵＳＩＴＴ規格のＤＭＸ５１２が一般的であり、この信号のフォーマットは、データの先頭を見つけるためのＢｒｅａｋと、調光データ以外のデータ伝送を識別するためのＳｔａｒｔ  Ｃｏｄｅと、夫々２５５段階の調光レベルを含んだ５１２個のＣｈａｎｎｅｌと、夫々のＣｈａｎｎｅｌを仕切るＴｉｍｅ  Ｂｅｔｗｅｅｎ  Ｆｒａｍｅとから構成されている。Ｃｈａｎｎｅｌは、照明機器３の調光レベルデータを格納するためのデータ領域であって、５１２個あることから、１つの信号線あたり５１２台の照明機器３を接続して、それら照明機器３夫々の調光レベルを２５５段階に制御することが可能となっている。
【０００４】
ここで、５つＣｈａｎｎｅｌを持ったＤＭＸ信号を例に挙げ、当該調光配線システムの各機器についてより詳細に説明すると、調光卓２は、図２１（ａ）に示すように、調光レベルを可変可能なスライドスイッチであるフェーダ２ａを複数備えており、これらのフェーダ２ａによって、所望の調光レベルが設定されると、それらの調光レベルがデータとして各Ｃｈａｎｎｅｌ内に格納されて、一つのＤＭＸ信号が出力されるようになっている。パッチ盤２９は、複数の入力端子と複数の出力端子とを、夫々一対一で接続するために、当該接続を手動で切り替えるための機器であって、図２１（ｂ）に示すように、例えば、入力端子１〜４を夫々出力端子５〜８の何れかに接続できるようになっている。
【０００５】
尚、パッチ盤２９は上述したように手動で切り替えを行う機器であるが、情報配線システムの分野では、切り替えを自動化したものが知られている（例えば、特許文献１参照）。スプリット３０は、一つの信号線から入力されたＤＭＸ信号を複製して、複数の信号線上に当該複製したＤＭＸ信号を出力するものであり、例えば、図２１（ｃ）に示すように、入力端子１から、Ｃｈａｎｎｅｌ１〜５に夫々調光レベル０〜４が格納されたＤＭＸ信号が入力されると、その信号をそのまま複製して、出力端子２及び３から、Ｃｈａｎｎｅｌ１〜５に夫々調光レベル０〜４が格納された一つのＤＭＸ信号を出力するようになっている。
【０００６】
ＭＩＸ装置３１は、入力された２つのＤＭＸ信号から、Ｃｈａｎｎｅｌ１同士、Ｃｈａｎｎｅｌ２同士といったように、夫々対応するＣｈａｎｎｅｌ毎に、当該Ｃｈａｎｎｅｌに格納されたデータを比較し、調光レベルの大きい方のデータを選択して、信号線上に一つのＤＭＸ信号を出力する機器である。例えば、図２１（ｄ）に示すように、入力端子１からＣｈａｎｎｅｌ１〜２に夫々調光レベル１〜２、その他のＣｈａｎｎｅｌに調光レベル０が格納されたＤＭＸ信号が入力される一方、入力端子２からＣｈａｎｎｅｌ３〜５に夫々調光レベル３〜５、その他のＣｈａｎｎｅｌに調光レベル０が格納されたＤＭＸ信号が入力された場合には、Ｃｈａｎｎｅｌ １〜５に夫々１〜５の調光レベルが格納したＤＭＸ信号が出力端子３から出力されるようになっている。
【０００７】
ところで、上述の調光配線システムにおいて、パッチ盤２９への入力の数と、信号線の数とが同一でない場合、例えば、少数の調光卓２でその数を上回る信号線上の照明機器３を制御しようとすると、夫々の照明機器３が所望の調光レベルとなるように、パッチ盤２９の切り替えを行い、必要に応じてスプリット３０、ＭＩＸ装置３１を組み合せて、調光卓２の設定を行わなければならない。しかしながら、上述の調光配線システムの各機器における処理は、ＤＭＸ信号全体の処理、換言すると全てのＣｈａｎｎｅｌが処理されるため、ある信号線上の照明機器３の調光レベルを変更すると、設定を変更したくないにも係わらず、他の信号線上の照明機器３の調光レベルまで変更されてしまうことになる。
【０００８】
具体的に図２２（ａ）に示す調光配線システムに基づいて説明すると、同図に示すように、調光卓２ａから出力されるＤＭＸ信号は、Ｃｈａｎｎｅｌ１及び２に夫々調光レベル１及び２が格納されている一方、調光卓２ｂから出力されるＤＭＸ信号は、Ｃｈａｎｎｅｌ１及び２に夫々調光レベル２及び１が格納されている。パッチ盤２９では、入力端子１と出力端子３とが接続されると共に、入力端子２と出力端子４とが接続され、調光卓２ａから出力されるＤＭＸ信号は、出力端子３に接続された信号線上に出力され、調光卓２ｂから出力されるＤＭＸ信号は、出力端子４に接続された信号線上に夫々出力される。
【０００９】
夫々の信号線は、スプリット３０ａ及び３０ｂと接続され、さらにスプリット３０ａ及び３０ｂ夫々から出力される一方の信号線は、夫々ＭＩＸ装置３１に入力されている。ここで、スプリット３０ａ及び３０ｂから出力される他方の信号線を夫々３２ａ及び３２ｃとすると、信号線３２ａ上には、Ｃｈａｎｎｅｌ１及び２に夫々調光レベル１及び２が格納されたＤＭＸ信号が出力される一方、信号線３２ｂには、Ｃｈａｎｎｅｌ１及び２に夫々調光レベル２及び１が格納されたＤＭＸ信号が出力される。また、ＭＩＸ装置３１の出力に接続された信号線を３２ｂとすると、当該信号線３２ｂ上には、Ｃｈａｎｎｅｌ１及び２に夫々同一の調光レベル２が格納されたＤＭＸ信号が出力される。
【００１０】
従って、信号線３２ａに接続された照明機器３ａ及び３ｂには夫々調光レベル１及び２が割り当てられると共に、信号線３２ｃに接続された照明機器３ｅ及び３ｆには夫々調光レベル２及び１が割り当てられ、さらに、信号線３２ｂに接続された照明機器３ｃ及び３ｄには、夫々同一の調光レベル２が割り当てられる。ここで、照明機器３ｃの調光レベルを２から１に変更することを考えると、調光卓２において、Ｃｈａｎｎｅｌ１の調光レベルの設定を、２から１に変更すれば良いが、スプリット３０ｂによって分岐しているため、照明機器３ｅの調光レベルも１となる。
【００１１】
このとき、照明機器３ｅの調光レベルも併せて１にする場合には問題ないが、照明機器３ｅの調光レベルは２のままにしたい場合には、最早現状のシステム構成では実現できず、システム構成の変更が必要となる。具体的に説明すると、調光卓２ａ及び２ｂの設定を変えることなく、図２２（ｂ）に示すように、信号線３２ｂをＭＩＸ装置３１を介さずに直接スプリット３０ａに接続すれば良く、スプリット３０ｂは不要となる。尚、簡単のために２つの調光卓２ａ及び２ｂを備え、２つのＣｈａｎｎｅｌにのみ調光レベルデータが格納されているとして、３つの信号線３２ａ〜３２ｃ上に出力する場合について説明したが、実際には、さらに多くの調光卓２を備え、上述したようにＣｈａｎｎｅｌも５１２個存在している。
【００１２】
【特許文献１】特開平７−２１１３７５号公報
【発明の開示】
【発明が解決しようとする課題】
【００１３】
このように、上述の調光配線システムにあっては、所望の調光レベルを実現するために、スプリット３０等の各種機器の組み合せを考慮しなければならず、調光卓２と信号線が複数あるような複雑な調光システムにあっては、設計に熟練を要すると共に、複数の公演の開催が予定されており、夫々の公演の間隔が短いような場合、短時間で接続を終了しなければならないにも係わらず、迅速に配線することができないという問題がある。また、調光レベルの設定によっては、上述したようにＭＩＸ装置３１等の機器が不要となる場合があるにも係わらず、多様な演出を考慮して予備の機器を備えておく必要があり、経済的にも好ましくないものであった。
【００１４】
さらに、ＭＩＸ装置３１は、上述したように、複数のＤＭＸ信号から調光レベルの大きい方のデータを選択するという処理を行うので、必然的にレベルの大小を比較するための演算処理が用いられる。このため、当該ＭＩＸ装置３１にＤＭＸ信号が入力されてから、処理されたＤＭＸ信号が出力されるまでには、演算処理分の若干の遅延が発生する。当該遅延は一つのＭＩＸ装置３１を用いる場合には、左程問題とならないが、複雑な調光システムの場合には、当該ＭＩＸ装置３１を直列的に数台接続することがあり、コンサート等、目紛しくシーンが変化する場合には遅延を無視することができなくなるという問題があった。
【００１５】
本発明は、上記の問題点に鑑みてなされたものであり、その目的とするところは、複雑な調光システムであっても迅速に構築することができると共に、予備の機器が発生せず、かつ演算処理による遅延が少ない調光データ処理システムを提供することにある。
【課題を解決するための手段】
【００１６】
かかるシステムを提供するために、本願の発明者らは、まず上述の調光配線システムが、何故各種機器を用いなければならないのかについて検討をしたところ、各機器における処理が、調光信号全体の処理、すなわち複数ある照明機器の全ての調光レベルデータが一単位として処理されること、換言すると、ＤＭＸ信号全体の処理、すなわち全てのＣｈａｎｎｅｌが一単位として処理されることに起因することを見出した。そこで、本願の発明者らは、その基本的な解決手段として、図１に示すように、各調光卓２から入力された調光信号を、照明機器の調光レベルデータ（Ｃｈａｎｎｅｌデータ）毎に処理するチャネルデータ処理装置１を介して、照明機器３が接続された複数の信号線上に出力することに想到した。
【００１７】
つまり、各照明機器３において所望の調光レベルを実現できるように、各調光卓２から入力された複数のＤＭＸ信号から、夫々必要なＣｈａｎｎｅｌを選択して、それらの選択したＣｈａｎｎｅｌに格納された調光レベルデータを夫々読み出して合成し、再び一つのＤＭＸ信号として、各信号線上に夫々出力することに想到したものである。また、このチャネルデータ処理装置１の処理を、遠隔に配置した外部装置４から設定できるようにすることも併せて想到した。
【００１８】
より具体的には、照明機器の調光レベルデータを格納するためのデータ領域を複数備えた調光信号の入出力を行うと共に、その調光信号の処理を行わせるための制御指令を出力する制御ユニットと、その制御ユニットから出力される調光信号を前記制御指令に従って処理して、前記照明機器が接続された所定の信号線上に出力する複数の出力ユニットとを備えた調光データ処理システムであって、
前記制御ユニットは、前記複数の出力ユニットそれぞれにおける当該調光信号の処理についての設定情報を記憶したテーブルを複数格納すると共に、それら複数のテーブルのうち選択されたテーブルの情報を格納してなるユニット設定データ記憶部と、前記選択されたテーブルの情報を読み取り、その情報に従って当該選択されたテーブルを参照して、そのテーブルに記憶された設定情報を読み取り、その設定情報に従って各出力ユニットに当該調光信号の処理を行わせるための制御指令を作成する制御部とを備える一方、
前記出力ユニットは、当該制御ユニットから出力された調光信号から、それぞれ調光レベルデータを抽出して格納する入力データ用バッファと、その入力データ用バッファから読み出した所定の調光レベルデータに対し、当該制御ユニットから出力される制御指令に基づいて所定の処理を行って、当該調光信号における所定のデータ領域へ格納するための設定情報を記憶する設定データ記憶部と、
その設定データ記憶部に記憶された情報に基づいて、前記入力データ用バッファから複数の調光レベルデータを読み出し、前記データ領域に夫々格納されるように、当該複数の調光レベルデータの処理を行う制御部と、その制御部で処理された複数の調光レベルデータを格納し、それらの格納された調光レベルデータを当該調光信号として出力させるための出力データ用バッファと、を備えていることを特徴とするものである。
【００１９】
また、前記ユニット設定データ記憶部は不揮発性メモリからなる一方、前記設定データ記憶部は揮発性メモリからなり、本システムの起動時に制御ユニットから出力ユニットに対して制御指令を出力して、当該設定データ記憶部に、調光レベルデータの処理を行う制御部により所定の処理を行って、当該調光信号における所定のデータ領域へ格納するための設定情報を記憶させることを特徴としても良いものである。
【００２０】
また、前記制御ユニットは、前記各出力ユニットのＩＤと動作状況を示す情報とを対応づけて記憶した動作管理テーブルを備え、その動作管理テーブルに記憶されたＩＤを用いてポーリングを行って、前記出力ユニットから動作中である旨の応答があった際に、当該動作管理テーブルに記憶されたその出力ユニットの動作状況を示す情報を参照して、停止中である旨の情報が記憶されている場合には、その出力ユニットの動作状況を示す情報を、動作中である旨の情報とすることを特徴としても良いものである。
【００２１】
また、前記制御ユニットは、ポーリングを行った際に複数の出力ユニットから応答があった場合には、それらの出力ユニットに対してエラー信号を出力し、そのエラー信号を受けた各出力ユニットは、ＩＤが重複して設定されている旨の表示若しくは警告音を鳴動させることを特徴としても良いものである。
【００２２】
また、前記制御ユニットは、ポーリングを行った際に複数の出力ユニットから応答があった場合には、それらのＩＤの重複している出力ユニットに、未だ使用されていないＩＤリストを出力し、当該出力ユニットはその中からランダムにＩＤを取得することを特徴としても良いものである。
【００２３】
また、前記出力ユニットは、所定の入力操作により前記設定データ記憶部に対して、その記憶部に記憶された情報を消去させる旨のリセット信号を出力する入力手段を備え、その入力手段からリセット信号が出力されると、そのリセット信号は、前記制御ユニットにも出力され、当該制御ユニットは、ユニット設定データ記憶部に格納された当該出力ユニットの設定情報を、その出力ユニットに対して送信することを特徴としても良いものである。
【００２４】
また、前記出力ユニットは、前記調光データ処理システムに対して着脱自在であって、当該システムに取り付けたときに、設定データ記憶部に記憶された情報を参照して、何も記憶されていなければ、前記制御ユニットに対して情報設定要求を出力し、その設定要求を受けた制御ユニットは、ユニット設定データ記憶部に格納された当該出力ユニットの設定情報を、その出力ユニットに対して送信することを特徴としても良いものである。
【００２５】
また、前記各出力ユニットを格納するための複数の収納スペースを備えたラックを備え、前記収納スペースの夫々には、前記出力ユニットに対してＩＤを付与するためのＩＤ表示部を備える一方、前記各出力ユニットは、そのＩＤ表示部からのＩＤを受けるためのＩＤ読取部を備えていることを特徴としても良いものである。
【００２６】
また、前記各出力ユニットを格納するための複数の収納スペースを備えたラックを備え、当該ラックは、前記出力ユニットの格納を検知する格納検知部と、その検知を受けて複数のＩＤが記憶されたＩＤテーブルを参照し、空いているＩＤを順番に取得し出力する制御部と、その出力されたＩＤを出力ユニットへと出力するＩＤ送信部とを備える一方、出力ユニットは、ＩＤ送信部から出力されるＩＤを取得するためのＩＤ受信部を備えていることを特徴としても良いものである。
【００２７】
また、前記各出力ユニットを格納するための複数の収納スペースを備えたラックを具備し、さらに前記出力ユニットは、当該ラックに格納されたことを検知する格納検知部を備え、その格納検知部により、ラックに収納されたことを検知されると、制御ユニットに対して新規設定要求を送信し、当該制御ユニットでは、ユニット設定データ記憶部を参照して、順番に空いているＩＤを読み出して当該出力ユニットに送信し、その出力ユニットでは、そのＩＤを設定データ記憶部へと格納することを特徴としても良いものである。
【００２８】
また、前記制御ユニット及び前記各出力ユニットは、それぞれケーブルを介してカスケード接続されており、各出力ユニットは、電位差とＩＤとを対応づけたＩＤ設定テーブルを備え、制御ユニットから出力される信号の電位差を計測して、その電位差に基づいて前記ＩＤ設定テーブルを参照して、自己のＩＤを設定することを特徴としても良いものである。
【００２９】
また、前記制御ユニット及び前記各出力ユニットは、それぞれケーブルを介してカスケード接続されており、制御ユニットは、自己に接続された出力ユニットに対して、所定間隔をおいて発せられる基準パルスを含むＩＤ基準信号と、そのＩＤ基準信号と同一の所定間隔をおいて発せられる計測用パルスを含む計測用信号を出力する一方、
各出力ユニットは、複数のＩＤと複数の遅延時間とが対応づけられたＩＤテーブルを具備し、前記計測用信号の計測用パルスに遅延時間を与えて、ＩＤ基準信号の基準パルスのパルス間時間と、計測用信号の遅延時間を含んだ計測用パルスのパルス間時間とを比較して遅延時間を求め、その遅延時間から前記ＩＤテーブルを参照して自己のＩＤを設定すると共に、他の出力ユニットに対して、ＩＤ基準信号と遅延時間を含んだ計測用信号とを出力することを特徴としても良いものである。
【００３０】
また、前記制御ユニット及び出力ユニットをカスケード接続する複数の信号線を備え、夫々の信号線は２進数の各ビットが割り当てられており、前記出力ユニットは、制御ユニットから出力されるＩＤ信号に対して、各出力ユニット１ｎ毎にビットを１ずつ増加又は減少させるビット加減算回路を具備し、その加減算したビット数を自己のＩＤとして設定することを特徴とするものである。
【発明の効果】
【００３１】
以上のように、本願発明は調光信号全体の処理、すなわち複数ある照明機器の全ての調光レベルデータが一単位として処理されるのではなく、所定の調光レベルデータを読み出し、必要に応じてハイエスト処理等を行って、所定のデータ領域に格納させるようになっている。従って、従来のパッチ盤で行われていた手作業での入力端子と出力端子との接続のし直しがなく、配線の接続変更が電子的に設定でき、調光システムの構築にあたってＭＩＸ装置やスプリットを追加接続する必要がないので、短時間での接続が可能となる。つまり、ＭＩＸ装置等を直列に複数接続せずとも、複雑な調光システムを実現できるので、調光システムの構築が容易であると共に、ＭＩＸ装置の多重接続に起因した遅延がなく、コンサート等、目紛しくシーンが変化する場合であっても所望の調光が実現できるという効果を奏する。
【００３２】
また、請求項１記載の発明にあっては、ユニット設定データ記憶部にテーブルを複数格納しておき、当該テーブルのうち何れかのテーブルを指定するだけで、即座に所望の照明パターンを実現することができるという効果を奏する。
【００３３】
また、請求項２記載の発明にあっては、前記ユニット設定データ記憶部は不揮発性メモリからなる一方、前記設定データ記憶部は揮発性メモリからなるので、システム起動時に、出力ユニットの接続に変更があった場合であっても、出力ユニットは従前の設定データによる影響を受けることなく、新たな設定データが各出力ユニットに格納されるという効果を奏する。
【００３４】
また、請求項３記載の発明にあっては、各出力ユニットの動作状況を制御ユニットにおいて一元的に把握することができるという効果を奏する。
【００３５】
また、請求項４記載の発明にあっては、出力ユニットに重複したＩＤが設定された場合に、その重複設定を把握することができるという効果を奏する。
【００３６】
また、請求項５記載の発明にあっては、出力ユニットに重複したＩＤが設定された場合でも、自動的にＩＤを設定するので、重複設定を回避することができるという効果を奏する。
【００３７】
また、請求項６記載の発明にあっては、各出力ユニットがリセットされても、新たに設定データを読み込んで動作を継続することができるという効果を奏する。
【００３８】
また、請求項７記載の発明にあっては、システムに対して新規に接続された出力ユニットであっても、制御ユニットから設定データを読み込んで、動作をすることができるという効果を奏する。
【００３９】
また、請求項８乃至１３記載の発明にあっては、自動的に出力ユニットのＩＤを設定することができ、特に請求項８乃至１０記載の発明では、ラックに格納するだけで良いという効果を奏する。
【発明を実施するための最良の形態】
【００４０】
次に、上述の各解決手段を具体的な実施形態として、以下に詳細に説明する。
［第１の実施の形態］
（システムの構成）
まず本実施形態のシステムの構成につき、図２乃至図４に示すブロック図を用いて説明する。本実施形態は、上述の解決手段で説明したチャネルデータ処理装置１の構成を、図２に示すように、制御ユニット１ａとそのユニットに着脱自在に接続される複数の出力ユニット１ｂ〜１ｇ…（以下、各出力ユニット１ｎという）で構成したものであり、これら制御ユニット１ａ及び各出力ユニット１ｎは、順番にカスケード接続されている。
【００４１】
各ユニットの概略を説明すると、制御ユニット１ａは、複数の調光卓２から出力されるＤＭＸ信号の入力を、外部装置４によって設定された情報に従って、選択して各出力ユニット１ｎへ出力すると共に、当該各出力ユニットのＤＭＸ信号の処理を制御するユニットである。一方、各出力ユニット１ｎは、制御ユニット１ａから出力された制御指令を受けて、同様に制御ユニット１ａから出力されるＤＭＸ信号を処理して、その処理後のＤＭＸ信号を照明機器３へと出力するユニットである。
【００４２】
以下、上述の概略を踏まえて、各ユニットについて詳細に説明する。まず、制御ユニット１ａは、図３に示すように、Ｃｈａｎｎｅｌ毎のデータ処理の設定を行うための外部装置４と通信すると共に、各出力ユニット１ｎと一例としてＨＤＬＣ（Ｈｉｇｈ−Ｌｅｖｅｌ  Ｄａｔａ  Ｌｉｎｋ  Ｃｏｎｔｒｏｌ）準拠の通信を行うデータ通信部５ａと、当該外部装置４から入力されたデータ処理の設定をユニット設定データ記憶部７ａへと出力したり、入力手段（図示せず）により単独でＣｈａｎｎｅｌ毎のデータ処理の設定を行うための設定部６とを備えている。
【００４３】
ここで、ユニットデータ設定記憶部７ａは、一例として不揮発性メモリからなり、各出力ユニット１ｎにおけるデータ処理の設定を記憶するようになっている。そして、その記憶内容には、図４に示すように、複数の動作管理パターンテーブルＴP1…nによって当該テーブル毎に、制御ユニット１ａへの指示であるＤＭＸ入力の選択や、各出力ユニット１ｎへの指示であるＤＭＸ出力の選択並びに、入力されたＤＭＸ信号の合成方法等が規定されている。
【００４４】
さらに、制御ユニット１ａについて説明すると、当該ユニット１ａは、図３に示すように、調光卓２から出力されるＤＭＸ信号を入力するための複数の入力端子を具備したＤＭＸ入力部８と、その入力されたＤＭＸ信号からデータ（少なくとも全てのＣｈａｎｎｅｌデータを意味する。以下、ＤＭＸデータという）を抽出し、夫々入力端子毎に割り当てられたバッファ９ａ〜９ｅ…に格納する入力データ用バッファ９と、各出力ユニット１ｎの制御等を行う制御部１０ａと、入力データ用バッファ９に格納された複数のＤＭＸデータを複製するデータ複製部１１とを備えている。
【００４５】
また、当該制御ユニット１ａは、夫々出力端子毎に割り当てられたバッファ１２ａ〜１２ｄ…にデータを格納する出力データ用バッファ１２と、そのバッファに格納されたデータを、出力ユニット１ｂが接続された信号線上に出力するための複数の出力端子を具備したＤＭＸ出力部１３とを備えている。ここで、制御部１０ａは、各出力ユニット１ｎの制御以外に、ユニット設定データ記憶部７ａに設定された情報に従って、データ複製部１１に入力データ用バッファ９に格納された複数のＤＭＸデータを複製させると共に、所定のバッファ１２ａ〜１２ｄ…に、その複数されたＤＭＸデータを格納させ、当該各出力ユニット１ｎに対し、その複製されたＤＭＸデータを含むＤＭＸ信号を出力するようになっている。
【００４６】
さらに、当該制御ユニット１ａは、未設定のＣｈａｎｎｅｌの有無を検出する未設定チャネル検出部１４と、外部装置４で視認可能とするための可視化部１６と、未設定があれば注意を喚起すると共に、可視化部１６にその旨の信号を出力する異常通知部１５とを備えている。尚、上述した外部装置４は、一般的なコンピュータであって、データ通信部５ａとの間で通信を行うために、例えば１０ＢＡＳＥ−Ｔ等のＥｔｈｅｒｎｅｔ（登録商標）のインターフェースを具備すると共に、制御ユニット１ａの設定状況等を表示するためのＷｅｂ機能を搭載している。
【００４７】
次に、各出力ユニット１ｎについて、出力ユニット１ｂを代表として説明する。尚、制御ユニット１ａと同様の構成については、同一の符号を付して説明を省略又は簡略化することとする。本実施形態の出力ユニット１ｂは、図５に示すように、制御ユニット１ａ及び他の出力ユニット１ｎとＨＤＬＣ準拠の通信を行うデータ通信部５ｂと、一例として揮発性メモリからなり、制御ユニット１ａから出力されたデータ処理の設定を格納する設定データ記憶部７ｂと、制御ユニット１ａから出力されたＤＭＸ信号を入力するための複数の入力端子を具備したＤＭＸ入力部８と、入力データ用バッファ９と、そのバッファ内のデータから出力データを作成等をするための制御部１０ｂと、データ複製部１１と、出力データ用バッファ１２と、複数の出力端子を具備したＤＭＸ出力部１３とを備えている。
【００４８】
また、各出力ユニット１ｎは、設定データ記憶部７に設定された情報に従って複数のＣｈａｎｎｅｌデータを選択し、一つのＤＭＸデータとして合成するチャネルデータ合成部１７と、制御ユニット１ａを介して外部装置４から合成用のＣｈａｎｎｅｌデータ（調光レベルデータ）をデータ通信部５ｂより受信して、当該データを格納する合成用データ記憶部１８と、その記憶部のデータとチャネルデータ合成部１７で合成されたＣｈａｎｎｅｌデータとを合成する既存データ合成部１９と、入力された複数のＤＭＸ信号の夫々対応するＣｈａｎｎｅｌ毎に、当該Ｃｈａｎｎｅｌに格納されたデータを比較し、調光レベルの高いデータを選択して、一つのＤＭＸ信号として合成するハイエストデータ抽出部２０とを備えている。
【００４９】
ここで、ハイエストデータ抽出部２０が従来のＭＩＸ装置と異なるのは、ＤＭＸ信号同士の比較、すなわち全てのＣｈａｎｎｅｌの比較だけではなく、一部のＣｈａｎｎｅｌのみの比較を行って、所望の出力端子５〜９から出力できる点に特徴がある。
【００５０】
ところで、制御ユニット１ａと各出力ユニット１ｎとの通信は、上述のようにＨＤＬＣに準拠して行われており、図６（ａ）に示すパケットフォーマットが用いられる。具体的に当該フォーマットについて説明すると、同図に示すように、制御ユニット１ａ又は各出力ユニット１ｎ夫々の識別子を格納するアドレスＡと、制御ユニット１ａと各出力ユニット１ｎとの間で通信する情報の種類を定義するタイプＴと、制御ユニット１ａから各出力ユニット１ｎへの要求毎にインクリメント（増加）する番号を格納するシーケンス番号Ｓnと、送信するデータのサイズを格納するサイズＤSと、当該送信データを格納する情報フィールドＩnとを含んで構成されている。
【００５１】
尚、当該フォーマットの前後には、データの開始及び終了を意味するフラグが付加されると共に、データが正常に送信されたかどうか確認するためのフレームチェックシーケンスが情報フィールドＩnの後に付加されるが、図示は省略する。
【００５２】
（システムの動作）
次に、以上のシステム構成及びパケットフォーマットを踏まえ、本実施形態の調光データ処理装置の動作について、図２乃至図９に基づいて詳細に説明する。まず、外部装置４の入力手段により（入力手段は図示せず）、制御ユニット１ａに対して、処理内容が入力される。この処理内容には、制御ユニット１ａに対する処理と、出力ユニット１ｎに対する処理がある。
【００５３】
前者の処理は、図３に示す入力端子１〜５の中から入力されたＤＭＸ信号のうち、任意に選択したＤＭＸ信号を出力端子６〜９から出力させる処理であり、後者の処理は、複数のＤＭＸデータを複製するデータ複製処理をはじめ、制御ユニット１ａによって選択されたＤＭＸ信号について、複数のＣｈａｎｎｅｌデータを選択し、一つのＤＭＸデータとして合成するチャネルデータ合成処理や、合成用データ記憶部１８に格納されたデータと、前述のチャネルデータ合成処理で合成されたＣｈａｎｎｅｌデータとを合成する既存データ合成処理がある。
【００５４】
また、その他の後者の処理としては、入力された複数のＤＭＸ信号の夫々対応するＣｈａｎｎｅｌ毎に、当該Ｃｈａｎｎｅｌに格納されたデータを比較し、調光レベルの高いデータを選択して、一つのＤＭＸ信号として合成するハイエストデータ抽出処理と、前述の各処理を行った後、ＤＭＸ出力部１３のどの出力端子から出力するかの処理が含まれる。尚、上述した処理内容は、図４に示した動作管理パターンテーブルＴP1…nの形式により、図３に示したユニット設定データ記憶部７ａに格納されるようになっている。このとき、外部装置４からの処理内容として、どの動作管理パターンテーブルＴP1…nが選択されているかの情報も合わせて格納されるようになっている。
【００５５】
次に、制御ユニット１ａは、後述する出力ユニット管理テーブルＴaに格納されたＩＤの順番に従って、各出力ユニット１ｎに対して点呼式ポーリングを行い、所定時間毎に接続状況要求を出力し、各出力ユニット１ｎの動作状況を確認する。具体的には、図６（ｂ）に示すように、各出力ユニット１ｎ夫々の識別子をアドレスＡに指定して、タイプＴに接続状況要求である旨のデータＳＴＡＴ＿ＲＥＱを格納し、さらに所定のシーケンス番号Ｓn及びサイズＤSを定めて、情報フィールドＩnに各出力ユニットの動作の有無を書き込むためのＩＤリストを格納し、各出力ユニットに順に送信する。
【００５６】
ＩＤリストは、各出力ユニット１ｎ毎に個別に割り当てられた格納領域ＩＤ１〜ＩＤｎであって、夫々の格納領域ＩＤ１〜ＩＤｎには、例えば”１”が動作中、”０”が停止中というように、１ビットのデータが格納されている。そして、接続状況要求を受けた各出力ユニット１ｎは、アドレスＡが自己の識別子であるか判断し、自己の識別子であれば、図６（ｃ）に示すように、制御ユニット１ａの識別子をアドレスＡに指定して、タイプＴに接続状況応答である旨のデータＳＴＡＴ＿ＲＥＳを格納し、当該接続状況要求と同じシーケンス番号Ｓn並びにサイズＤSを定めて、情報フィールドＩnに自己の動作状況を示すＩＤリストとステータスを格納し、制御ユニット１ａに返信する。
【００５７】
より詳しく説明すると、ＩＤリストには、自己が動作中であれば自己の格納領域に”１”を格納する一方、停止中であれば”０”を格納し、ステータスには動作や停止のみならず、より詳細な動作状況を格納するようになっている。ここで、各出力ユニット１ｎから動作中である旨の応答があった場合、すなわち、ＩＤリストが”１”であった場合において、制御ユニット１ａは、動作管理パターンテーブルＴP1…nに記憶されたその出力ユニットの動作状況を示す情報を参照して、停止中である旨の情報が記憶されている場合、すなわち、ＩＤリストが”０”であった場合には、その出力ユニットの動作状況を示す情報を、動作中である旨の情報とするようにして、常に最新の動作状況を把握するようになっている。
【００５８】
そして、外部装置４より制御ユニット１ａに対して、各出力ユニット１ｎにおけるデータ処理が設定されると、その設定情報は図８に示す出力ユニット管理テーブルＴaの形式で、図３に示すユニット設定データ記憶部７ａに格納される。制御ユニット１ａの制御部１０ａは、当該ユニット設定データ記憶部７ａを参照して、動作管理パターンテーブルＴP1…nのうち、どのテーブルが選択されているか、またその選択されているテーブルの情報を参照して、入力端子１〜５から入力されたＤＭＸ信号が、出力端子６〜９の何れに出力される設定となっているか入力信号の選択を確認する。
【００５９】
次に、制御ユニット１ａの制御部１０ａは、その設定に従って、まず入力データ用バッファ９よりデータを読み出し、データ複製部１１へ出力する。データ複製部１１では、制御部１０ａから受けたデータを複製して制御部１０ａへ出力し、制御部１０ａでは、出力データ用バッファ１２へと出力して、ＤＭＸ出力部１３から所望のＤＭＸ信号が出力される。一方、制御ユニット１ａの制御部１０ａは、各出力ユニット１ｎのうち何れの出力ユニットに設定がなされているか、ユニット設定データ記憶部７ａを参照し、ＩＤリストと比較して、対象の出力ユニット１ｂ〜１ｇ…が動作しているか判断する。
【００６０】
その結果、対象の出力ユニット１ｂ〜１ｇ…が動作していない場合には、データ通信部５ａを介して、外部装置４にその旨の信号を送信する。一方、対象の出力ユニット１ｂ〜１ｇ…が動作している場合には、ユニット設定データ記憶部７ａを参照して、対象の出力ユニット１ｂ〜１ｇ…毎に個別の制御指令を作成し、当該各出力ユニット１ｂ〜１ｇ…に出力する。具体的には、図９（ａ）に示すように、対象の出力ユニット１ｂ〜１ｇ…の識別子をアドレスＡに指定して、タイプＴに情報設定要求である旨のデータＳＥＴ＿ＲＥＱを格納し、さらに所定のシーケンス番号Ｓn及びサイズＤSを定めて、制御指令を示すデータＩＤと、指令内容である書き込みデータとを夫々情報フィールドＩnに格納し、各出力ユニットに夫々送信する。
【００６１】
ここで、データＩＤは書き込むデータの種類を指定する識別子であって、制御指令の他、例えば当該出力ユニットの状態を設定するための設定指令等がある。また、書き込みデータの内容としては、制御ユニット１ａのＤＭＸ出力部１３から、出力ユニット１ｎのＤＭＸ入力部８へ出力した複数のＤＭＸ信号について、それぞれの出力ユニット１ｎ内でのＣｈａｎｎｅｌ毎のデータ処理や、その処理したＤＭＸデータを、出力ユニット１ｎのどの出力端子から出力するのかについて指定された設定情報が含まれる。
【００６２】
そして、情報設定要求を受けた各出力ユニット１ｎの制御部１０ｂは、アドレスＡが自己の識別子であるか判断し、自己の識別子であれば、当該要求内容を設定部６を介して設定データ記憶部７ｂへと格納する。次に、図９（ｂ）に示すように、制御ユニット１ａの識別子をアドレスＡに指定して、タイプＴに情報設定応答である旨のデータＳＥＴ＿ＲＥＳを格納し、当該情報設定要求と同じシーケンス番号Ｓn並びにサイズＤSを定めて、情報フィールドＩnに制御指令を示すデータＩＤと設定結果とを格納し、制御ユニット１ａに返信する。尚、設定部６の入力手段（図示せず）により、Ｃｈａｎｎｅｌ毎のデータ処理の設定がされた場合には、設定データ記憶部７ｂに格納されたデータにその設定を反映するようになっている。
【００６３】
また、各出力ユニット１ｎの制御部１０ｂでは、当該設定データ記憶部７ｂを参照して設定情報を読み取り、その設定情報に基づき、必要に応じて、データ複製部１１、チャネルデータ合成部１７、既存データ合成部１９、ハイエストデータ抽出部２０でデータ処理を行って、出力データ用バッファ１２へ出力される。そして、その出力データ用バッファに格納されたデータは、ＤＭＸ出力部１３よりＤＭＸ信号として、照明機器３が接続された信号線上へと出力されるようになっている。
【００６４】
ここで、これら各出力ユニット１ｎ内での処理につき、図５を参照して、個別に具体例を挙げて説明する。例えば、設定データ記憶部７ｂに、入力端子１から入力されるＤＭＸ信号を、出力端子９から出力する旨の処理が格納されている場合、制御部１０ｂは、その設定情報を読み取り、入力端子１と対応するバッファ９ａから、ＤＭＸデータを読み出し、データ複製部１１へと出力する。データ複製部１１では、そのＤＭＸデータをそのまま複製して、制御部１０ｂを介して、出力端子９に対応するバッファ１２ｅへ出力し、ＤＭＸ出力部１３の出力端子６から所望のＤＭＸ信号が出力される。
【００６５】
また、例えば、設定データ記憶部７ｂに、入力端子１から入力されるＤＭＸ信号のＣｈａｎｎｅｌ１〜２００と、入力端子２から入力されるＤＭＸ信号のＣｈａｎｎｅｌ２０１〜５１２とを合成し、出力端子６から出力する旨の処理が格納されている場合、まず、制御部１０ｂは、設定データ記憶部７ｂを参照して上述の設定を把握すると、当該設定に基づき、入力データ用バッファ９内の入力端子１及び２に対応するバッファ９ａ及びｂを参照し、バッファ９ａよりＣｈａｎｎｅｌ１〜２００に相当するデータ、バッファ９ｂよりＣｈａｎｎｅｌ２０１〜５１２に相当するデータを読み出し、チャネルデータ合成部１７へと出力する。
【００６６】
次に、チャネルデータ合成部１７は、バッファ９ａ及び９ｂから読み出された両方のＣｈａｎｎｅｌデータを合成して、Ｃｈａｎｎｅｌ１〜５１２のデータを作成し、設定情報に従って、制御部１０ｂを介して、出力データ用バッファ１２内のバッファ１２ｂへ出力し、ＤＭＸ出力部１３の出力端子６から所望のＤＭＸ信号が出力される。
【００６７】
また、例えば、設定データ記憶部７ｂに、入力端子１から入力されるＤＭＸ信号のＣｈａｎｎｅｌ１〜２００と、入力端子２から入力されるＤＭＸ信号のＣｈａｎｎｅｌ２０１〜５１２とを合成し、その合成したＤＭＸ信号のＣｈａｎｎｅｌ１００〜３００を、合成用データ記憶部１６に格納してある別のＣｈａｎｎｅｌデータに置きかえて、出力端子７から出力する旨の処理が格納されている場合、まず、制御部１０ｂは、チャネルデータ合成部１７によって、Ｃｈａｎｎｅｌ１〜５１２のデータを作成すると、設定情報に従って既存データ合成部１９へ出力する。既存データ合成部１９では、合成用データ記憶部１６を参照して、Ｃｈａｎｎｅｌ１〜５１２のデータのうち、Ｃｈａｎｎｅｌ１００〜３００分のＣｈａｎｎｅｌデータを置き換え、出力データ用バッファ１２内のバッファ１２ｃへ出力し、ＤＭＸ出力部１３の出力端子７から所望のＤＭＸ信号が出力される。
【００６８】
また、例えば、設定データ記憶部７ｂに、入力端子１及び２から夫々入力されるＤＭＸ信号のＣｈａｎｎｅｌ１〜２００同士を比較して調光レベルの高い方のデータを選択させると共に、Ｃｈａｎｎｅｌ２０１〜５１２については、入力端子１から入力されるＤＭＸ信号のデータをそのまま出力端子５から出力する旨の処理が格納されている場合、まず、制御部１０ｂは、設定データ記憶部７ｂを参照して上述の設定を把握すると、当該設定に基づき、入力データ用バッファ９内の入力端子１〜２に対応するバッファ９ａ〜ｂを参照し、バッファ９ａより全てのＣｈａｎｎｅｌのデータを読み出すと共に、バッファ９ｂよりＣｈａｎｎｅｌ１〜２００に相当するデータを読み出す。
【００６９】
次に、制御部１０ｂは、バッファ９ａ及び９ｂから読み出した両方のＣｈａｎｎｅｌ１〜２００データをハイエストデータ抽出部２０へと出力し、当該ハイエストデータ抽出部２０では、夫々対応するＣｈａｎｎｅｌ毎に比較し調光レベルの高いデータを選択する。また、バッファ９ａから読み出したＣｈａｎｎｅｌ２０１〜５１２データを合成して、Ｃｈａｎｎｅｌ１〜５１２のデータを作成し、設定情報に従って出力データ用バッファ１２内のバッファ１２ａへ出力することで、ＤＭＸ出力部１３の出力端子５から所望のＤＭＸ信号が出力される。以上のようにして、Ｃｈａｎｎｅｌ毎にハイエスト処理がなされ、ＤＭＸ出力部１３から出力されたＤＭＸ信号は、照明機器３へ出力される一方、データ通信部５ｂ、５ａを介して外部装置４へと出力され、制御ユニット１ａ及び各出力ユニット１ｎで所望の動作がなされたかを確認することができる。
【００７０】
このように、Ｃｈａｎｎｅｌ毎にデータ処理がなされ、ＤＭＸ出力部１３から出力されたＤＭＸ信号は、照明機器３へ出力される一方、データ通信部５ｂ、５ａを介して外部装置４へと出力され、チャネルデータ処理装置１で所望の動作がなされたかを確認することができる。また、本実施形態の制御部１０ｂは、入力されたＤＭＸ信号同士の演算を行うことが可能となっており、選択した所定のＣｈａｎｎｅｌデータ同士の加減算や乗除算をはじめ、任意の処理式によって演算を行うことが可能となっている。
【００７１】
ところで、本実施形態の制御ユニット１ａは、入力されるＤＭＸ信号の選択の他に、以下の動作を行っている。具体的に説明すると、ユニット設定データ記憶部７ａは、格納された設定情報を可視化部１６へと出力し、当該可視化部１６では、制御ユニット１ａ並びに各出力ユニット１ｎ夫々の入出力端子の擬似図形を描画すると共に、各入力端子及び各出力端子の夫々に色彩を付し、制御ユニット１ａ並びに各出力ユニット１ｎでの処理に従って色彩を付した映像情報を作成するようになっている。例えば、ある入力端子が赤、また別の入力端子が青とし、ある出力端子が赤と青の縞模様となっている場合には、チャネルデータ合成処理が行われているなど、各処理により、視覚的に区別することが可能となっている。
【００７２】
従って、本実施形態の調光データ処理システムのユーザは、入力側の色彩と出力側の色彩とを比較することで、制御ユニット１ａ並びに各出力ユニット１ｎに入力されたＤＭＸ信号が、何れの出力端子からどのように処理されたのかを一目瞭然に把握することができる。尚、これらのビジュアル化処理は、ＨＴＭＬ（Ｈｙｐｅｒ  Ｔｅｘｔ  Ｍａｒｋｕｐ  Ｌａｎｇｕａｇｅ）等のデータを作成することにより実現し、当該データはデータ通信部５ａを介して外部装置４へと出力され、当該外部装置４の表示手段（図示せず）に表示されるようになっている。
【００７３】
また、制御ユニット１ａは、設定が正常に行われたかを確認する動作も行っている。例えば、各出力ユニット１ｎにおいて、入力端子１から入力されるＤＭＸ信号のＣｈａｎｎｅｌ１〜２００と、入力端子２から入力されるＤＭＸ信号のＣｈａｎｎｅｌ２０１〜５１２とを合成したい場合に、両方のＣｈａｎｎｅｌの範囲が正しく設定されていなければ、正常なＤＭＸ信号を作成することはできない。具体例を挙げると、入力端子２から入力されるＤＭＸ信号のＣｈａｎｎｅｌの範囲として、Ｃｈａｎｎｅｌ２０１〜５１２を設定しなければならないにも係わらず、誤ってＣｈａｎｎｅｌ２１０〜５１２を設定してしまったような場合である。
【００７４】
未設定チャネル検出部１４は、ユニット設定データ記憶部７ａを参照して、このような誤りがないかどうか検出しており、未設定のＣｈａｎｎｅｌがあると、そのＣｈａｎｎｅｌの番号を異常通知部１５へ出力し、当該異常通知部１５では、ＬＥＤ等の表示手段で注意を喚起すると共に、可視化部１６にその旨の信号を出力する。可視化部１６では、未設定のＣｈａｎｎｅｌについて、ＢＬＩＮＫタグで点滅させる等のＨＴＭＬデータを作成して、データ通信部５ａを介して外部装置４へと出力し、当該外部装置４の表示手段（図示せず）では、未設定のＣｈａｎｎｅｌを把握することができるようになっている。尚、異常通知部１５は、図５に示すように、出力ユニット１ｎに設けるようにしても良いものである。
【００７５】
本実施形態の調光データ処理システムでは、以上のようにして、調光レベルの大小の判別や、データの合成等の処理がなされ、ＤＭＸ出力部１３から出力されたＤＭＸ信号は、照明機器３へ出力される一方、制御ユニット１ａの制御部１０ａへと出力され、さらに外部装置４へと出力されて、チャネルデータ処理装置１（制御ユニット１ａ及び各出力ユニット）で所望の動作がなされたかを確認することができる。
【００７６】
尚、上述で点呼式ポーリングを行うと説明したが、ハブポーリングであっても差し支えない。また、未設定チャネル検出部１４、異常検知部１５、可視化部１６は、制御ユニット１ａに設けるとして説明したが、これに限定されるものではなく、各出力ユニットに設けても良い。すなわち、当該各出力ユニットに設定異常がないか確認するための未設定チャネル検出部１４、異常検知部１５、設定データ記憶部の設定情報を直接確認できるための可視化部１６を設けるようにしても良いものである。
【００７７】
（構成の補足説明）
次に、本実施形態のシステム構成につき補足説明をする。上述で外部装置４とデータ通信部５ａとの通信手段は、Ｅｔｈｅｒｎｅｔ（登録商標）であると説明したが、これに限定するものではなく、ＲＳ２３２Ｃ等のシリアル通信を用いても良いし、通信プロトコルもＴｅｌｎｅｔやＳＮＭＰ（Ｓｉｍｐｌｅ  Ｎｅｔｗｏｒｋ  Ｍａｎａｇｅｍｅｎｔ  Ｐｒｏｔｏｃｏｌ）を用いても良い。また、外部装置４を集中管理センター等に設置し、インターネットや電話回線等を介して遠隔のホール等に設置した制御ユニット１ａの設定をできるようにしても良いものである。
【００７８】
さらに、出力ユニット１ｂ〜１ｇ…には、データ複製部１１、チャネルデータ合成部１７、既存データ合成部１９、ハイエストデータ抽出部２０を備えていると説明したが、何れか二つで構成したり、これら複数の組み合せで構成するようにしても良い。また、これら各部での処理は並行に実施されても良いし、例えば、データ複製部１１、チャネルデータ合成部１７、既存データ合成部１９、ハイエストデータ抽出部２０の順等のように直列的に処理を行うようにしても良い。
【００７９】
さらに、設定部６から合成用データ記憶部１８のデータを設定できるようにしても良い。また、設定データ記憶部７ｂ、チャネルデータ合成部１７、合成用データ記憶部１８、既存データ合成部１９、ハイエストデータ抽出部２０、データ複製部１１の全て若しくは何れかの組み合せは、ＣＰＵ単体やＣＰＵとＣＰＬＤ（Ｃｏｍｐｌｅｘ  Ｐｒｏｇｒａｍａｂｌｅ  Ｌｏｇｉｃ  Ｄｅｖｉｃｅ）等で実現しても良いものである。
【００８０】
［第２の実施の形態］
次に、上述の実施形態の構成及び動作に加え、複数の出力ユニット１ｎに対して、同一のＩＤを設定してしまった場合に、その旨の検知が可能な実施形態について図３、図５、図６、図７を参照して説明する。上述のように、制御ユニット１ａは、接続状況要求である旨のデータＳＴＡＴ＿ＲＥＱを各出力ユニット１ｎに送信し、当該各出力ユニット１ｎからは、接続状況応答である旨のデータＳＴＡＴ＿ＲＥＳを制御ユニット１ａに送信するようになっている。この時、同一のＩＤが設定された各出力ユニット１ｎは、制御ユニット１ａから受信した接続状況要求ＳＴＡＴ＿ＲＥＱが自己宛ての情報であると認識して、接続状況応答ＳＴＡＴ＿ＲＥＳを返信することになるが、制御ユニット１ａにしてみると、同一ＩＤにつき複数の接続状況応答ＳＴＡＴ＿ＲＥＳが返信されることとなる。
【００８１】
そこで、制御ユニット１ａの制御部１０ａでは、この同一ＩＤに基づく複数の接続状況応答ＳＴＡＴ＿ＲＥＳを判別すべく、接続状況要求ＳＴＡＴ＿ＲＥＱを送信してから、接続状況応答ＳＴＡＴ＿ＲＥＳが返信されるまでの所定時間内に、同一のシーケンス番号Ｓnを持った接続状況応答ＳＴＡＴ＿ＲＥＳがないか判別する。すなわち、接続状況要求ＳＴＡＴ＿ＲＥＱを含むパケットにはシーケンス番号Ｓnが含まれ、その返信である接続状況応答ＳＴＡＴ＿ＲＥＳを含むパケットのシーケンス番号Ｓnも、同一番号が付されることから、所定時間内のシーケンス番号Ｓnの重複を検知すれば、それがＩＤの重複を意味することになるのである。
【００８２】
尚、制御ユニット１ａの制御部１０ａでは、同一番号を持った接続状況応答ＳＴＡＴ＿ＲＥＳがあれば、その数（重複数）をカウントして、出力ユニット１ｎへ通知するようになっている。より詳しく説明すると、制御ユニット１ａの制御部１０ａは、図７（ａ）に示すように、重複しているＩＤをアドレスＡに指定して、タイプＴに情報通知である旨のデータＩＮＦ＿ＮＯＴを格納し、所定のシーケンス番号Ｓn並びにサイズＤSを定めて、さらにエラー通知（エラー信号）である旨を通知種別ＮKに格納すると共に、自己の識別子を自己アドレスＡSに格納してパケットを構成し、重複ＩＤを持つ出力ユニット１ｎに送信する。
【００８３】
一方、出力ユニット１ｎの制御部１０ｂは、そのエラー通知を、データ通信部５ｂを介して受信すると、エラーがあった旨を出力ユニット１ｎ内の異常検知部１５へと出力し、当該異常検知部１５では、ＬＥＤ等の表示手段や、警告音の鳴動手段（何れか片方の手段でも良い）によりＩＤの重複設定を報知するようになっている。
【００８４】
そして、ＩＤ重複のあった出力ユニット１ｎは、自己の異常通知部１５から報知ができた場合には、制御ユニット１ａに対して、エラー報知をした旨を通知する一方、何らかの原因でエラー報知に失敗した場合には、その旨の通知をする。より詳しく説明すると、当該出力ユニット１ｎの制御部１０ｂは、図７（ｂ）に示すように、制御ユニット１ａの識別子をアドレスＡに指定して、タイプＴに情報通知応答である旨のデータＩＮＦ＿ＲＥＳを格納し、所定のシーケンス番号Ｓn並びにサイズＤSを定めて、さらにアドレス通知である旨を通知種別ＮKに格納すると共に、報知の成否を設定結果ＲRに格納してパケットを構成し、当該出力ユニット１ｎに送信するようになっている。
【００８５】
また、制御ユニット１ａの制御部１０ａでは、重複数のカウントを制御ユニット１ａ内の異常検知部１５へも出力するようになっており、本実施形態における異常通知部１５は、ＬＥＤ等の表示手段や、警告音の鳴動手段（何れか片方の手段でも良い）を備え、当該各手段によりＩＤの重複設定を報知するようになっている。また、当該異常検知部１５は、制御部１０ａから受信した重複数を可視化部１６へと出力し、当該可視化部１６では、ＩＤ重複があった旨とその重複数のデータをＨＴＭＬ化して、データ通信部５ａを介して外部装置４へと出力するようになっている。
【００８６】
［第３の実施の形態］
次に、第２の実施形態において、ＩＤが重複登録されていると判断された場合に、自動的に重複しないＩＤを付与する実施形態について、図３、図５、図８、図９を参照して説明する。本実施形態の制御ユニット１ａにおける制御部１０ａは、送信した接続状況要求ＳＴＡＴ＿ＲＥＱのパケットデータを保持しており、同一のシーケンス番号Ｓnを持った接続状況応答ＳＴＡＴ＿ＲＥＳがあった場合に、そのシーケンス番号Ｓnから、送信した接続状況要求ＳＴＡＴ＿ＲＥＱのパケットデータの中からアドレスＡを参照し、どのＩＤが重複しているか確認する。次に、制御部１０ａは出力ユニット管理テーブルＴaの中から動作状況を参照し、動作していない旨が記録された未使用ＩＤをリストアップする。
【００８７】
そして、制御部１０ａは情報設定要求である旨のデータＳＥＴ＿ＲＥＱのパケットとして、重複したＩＤを使用している各出力ユニット１ｎに、アドレス設定の要求を送信する。具体的には、アドレスＡに当該重複しているＩＤと、アドレス設定である旨のデータＩＤをはじめ、リストアップされた未使用ＩＤを書き込みデータに格納し、さらに所定のシーケンス番号Ｓn及びサイズＤSを定めて、パケットを構成して重複したＩＤを使用している各出力ユニット１ｎに送信するようになっている。
【００８８】
そのアドレス設定要求を受けた各出力ユニット１ｎの制御部１０ｂは、未使用ＩＤの中から、ランダムに一のＩＤを選択して、情報設定応答である旨のデータＳＥＴ＿ＲＥＳのパケットとして、制御ユニット１ａに選択したＩＤを返信する。具体的には、アドレスＡに制御ユニット１ａのＩＤと、アドレス設定（応答）である旨のデータＩＤをはじめ、選択された未使用ＩＤを設定結果に格納し、さらに当該情報設定要求ＳＥＴ＿ＲＥＱと同一のシーケンス番号Ｓn及び送信データに応じてサイズＤSを定めて、制御ユニット１ａに送信するようになっている。
【００８９】
次に、そのアドレス設定応答を受けた制御ユニット１ａの制御部１０ａは、情報設定要求ＳＥＴ＿ＲＥＱを送信してから、情報設定応答ＳＥＴ＿ＲＥＳが返信されるまでの所定時間内に、選択された未使用ＩＤについて、同一のＩＤを持った情報設定応答ＳＥＴ＿ＲＥＳがないか判別する。その結果、選択された未使用ＩＤに重複がない場合には、選択されたＩＤを出力ユニット管理テーブルＴaに記録し、その記録されたＩＤ以外の未使用ＩＤをリストアップする。
【００９０】
そして、制御部１０ａは、情報設定要求である旨のデータＳＥＴ＿ＲＥＱのパケットとして、選択した未使用ＩＤが重複した各出力ユニット１ｎに、アドレス設定の要求を送信する。そのアドレス設定要求を受けた各出力ユニット１ｎの制御部１０ｂは、未使用ＩＤの中から、ランダムに一のＩＤを選択して、情報設定応答である旨のデータＳＥＴ＿ＲＥＳのパケットとして、制御ユニット１ａに選択したＩＤを返信する。
【００９１】
そのアドレス設定応答を受けた制御ユニット１ａの制御部１０ａは、上述と同様にして、選択された未使用ＩＤについて、同一のＩＤを持った情報設定応答ＳＥＴ＿ＲＥＳがないか判別する。その結果、選択された未使用ＩＤに重複がない場合には、選択されたＩＤを出力ユニット管理テーブルＴaに記録し、その記録されたＩＤ以外の未使用ＩＤをリストアップして、ＩＤが重複しなくなるまで、一連の動作を繰り返すようになっている。
【００９２】
［第４の実施の形態］
次に、各出力ユニット１ｎを再起動させるための入力機能を具備した形態、すなわちリセット入力機能を持った実施形態について、図３、図４、図９、図１０に基づいて詳細に説明する。まず、図１０（ａ）に示すように、本実施形態の出力ユニット１ｎは、当該ユニットを再起動させるためのリセット入力部２１を備えている。このリセット入力部２１は制御部１０ｂと接続されており、ユーザによって操作されリセット入力が当該制御部１０ｂへと出力されると、制御部１０ｂは、データ通信部５ｂを介して、制御ユニット１ａにリセットされた旨の信号を送信する。
【００９３】
より詳しく説明すると、リセット動作を行った出力ユニット１ｎの制御部１０ｂは、図１０（ｂ）に示すように、制御ユニット１ａの識別子をアドレスＡに指定して、タイプＴに制御要求である旨のデータＣＯＮ＿ＲＥＱを格納し、所定のシーケンス番号Ｓn並びにサイズＤSを定めて、さらに再設定要求を制御種別ＣKに格納すると共に、自己の識別子を自己アドレスＡSに格納してパケットを構成し、制御ユニット１ａに送信する。その再設定要求を受けた制御ユニット１ａの制御部１０ａは、ユニット設定データ記憶部７ａに格納された動作管理パターンテーブルＴP1…nを参照して、当該要求のあった出力ユニット１ｎの設定を読み出すようになっている。
【００９４】
そして、制御ユニット１ａの制御部１０ａは、図９（ａ）に示すように、再設定要求のあった出力ユニット１ｎの識別子をアドレスＡに指定して、タイプＴに情報設定要求である旨のデータＳＥＴ＿ＲＥＱを格納し、さらに所定のシーケンス番号Ｓn及びサイズＤSを定めて、制御指令を示すデータＩＤと、指令内容である書き込みデータとを夫々情報フィールドＩnに格納し、当該出力ユニット１ｎに送信する。
【００９５】
その情報設定要求を受けた各出力ユニット１ｎの制御部１０ｂは、アドレスＡが自己の識別子であるか判断し、自己の識別子であれば、当該要求内容を設定部６を介して設定データ記憶部７ｂへと格納するようになっている。尚、第１の実施形態と同様にして、図９（ｂ）に示すように、制御ユニット１ａの識別子をアドレスＡに指定して、タイプＴに情報設定応答である旨のデータＳＥＴ＿ＲＥＳを格納し、当該情報設定要求と同じシーケンス番号Ｓn並びにサイズＤSを定めて、情報フィールドＩnに制御指令を示すデータＩＤと設定結果とを格納し、制御ユニット１ａに返信するようになっている。
【００９６】
［第５の実施の形態］
次に、制御ユニット１ａに接続されている何れかの出力ユニット１ｎを、他の出力ユニット１ｎと交換した場合の実施形態について、図３〜図５、図９、図１０（ｂ）に基づいて詳細に説明する。本実施形態は、基本的に上述のリセットにおける動作と同様であるが、トリガが、リセットした出力ユニット１ｎではなく、交換され新規に接続された出力ユニット１ｎである点において相違する。
【００９７】
動作の概略を説明すると、本実施形態の出力ユニット１ｎの制御部１ｂは、制御ユニット１ａと接続され電源がＯＮされると、設定データ記憶部７ｂを参照する。ここで、設定データ記憶部７ｂは、第１の実施形態と同様にして、揮発性メモリからなり、ＯＮされた当時には、何も設定情報が記憶されていない。そして、制御ユニット１ａは、何も記憶されていないことを確認すると、制御ユニット１ａに対して、再設定要求を出力するようになっている。より詳しく説明すると、新規に取り付けた出力ユニット１ｎの制御部１０ｂは、リセット時と同様にして、制御ユニット１ａに対して再設定要求を送信する。
【００９８】
その再設定要求を受けた制御ユニット１ａの制御部１０ａは、ユニット設定データ記憶部７ａに格納された動作管理パターンテーブルＴP1…nを参照して、当該要求のあった出力ユニット１ｎの設定を読み出す。次に、制御ユニット１ａの制御部１０ａは、再設定要求のあった出力ユニット１ｎに対して、情報設定要求ＳＥＴ＿ＲＥＱを出力し、その情報設定要求を受けた各出力ユニット１ｎの制御部１０ｂは、アドレスＡが自己の識別子であるか判断して、自己の識別子であれば、当該要求内容を設定部６を介して設定データ記憶部７ｂへと格納するようになっている。尚、情報設定応答を行うのは、上述の実施形態と同様である。
【００９９】
［第６の実施の形態］
次に、少なくとも出力ユニット１ｎを複数格納する収納スペースを具備したラックを用い、当該ラックに出力ユニット１ｎを格納した時に、自動的にＩＤが設定される実施形態について、図７、図１１に基づいて詳細に説明する。図１１に示すように、本実施形態では、複数の出力ユニット１ｎを格納するラック２２（詳細な図示は省略する。格納が出来ればよく、構造については一般的なもので良い。）が備えられており、そのラック内部の収納スペースには、夫々の格納スペース毎に、ユニークなＩＤを情報として含んでなるＩＤ表示部２２ａが設けられている。このＩＤ表示部２２ａは一例として、バーコードなどからなる一方、出力ユニット１ｎには、当該バーコードを読み取るスキャナなどのＩＤ読取部２３ａが設けられている。
【０１００】
これらＩＤ表示部２２ａとＩＤ読取部２３ａとは、ＩＤの読取が可能な位置に設けられており、本実施形態の出力ユニット１ｎの制御部１ｂは、ラック２２内に出力ユニット１ｎが格納され電源がＯＮされると、ＩＤ表示部２２ａに表示されたＩＤをＩＤ読取部２３ａにて読み取り、当該ＩＤを取得して、設定データ記憶部７ｂにそのＩＤを格納するようになっている。そして、制御部１０ｂは、その取得したＩＤを制御ユニット１ａに通知し、制御ユニット１ａでは、動作管理パターンテーブルＴP1…nに記録して、当該ＩＤの出力ユニット１ｎの存在を認識する。
【０１０１】
より詳しく説明すると、ラックに格納されＩＤを取得した出力ユニット１ｎの制御部１０ｂは、図７（ａ）に示すように、制御ユニット１ａの識別子をアドレスＡに指定して、タイプＴに情報通知である旨のデータＩＮＦ＿ＮＯＴを格納し、所定のシーケンス番号Ｓn並びにサイズＤSを定めて、さらにアドレス通知である旨を通知種別ＮKに格納すると共に、自己の識別子を自己アドレスＡSに格納してパケットを構成し、制御ユニット１ａに送信する。そのアドレス通知を受けた制御ユニット１ａの制御部１０ａは、ユニット設定データ記憶部７ａに格納された動作管理パターンテーブルＴP1…nに当該ＩＤを格納するようになっている。
【０１０２】
そして、制御ユニット１ａは、当該テーブルに正常に書き込みが行われた場合には、通知のあった出力ユニットに対して、正常に書き込みをした旨を通知する一方、何らかの原因で書き込みに失敗した場合には、その旨の通知をする。より詳しく説明すると、制御ユニット１ａの制御部１０ａは、図７（ｂ）に示すように、当該通知のあった出力ユニット１ｎの識別子をアドレスＡに指定して、タイプＴに情報通知応答である旨のデータＩＮＦ＿ＲＥＳを格納し、所定のシーケンス番号Ｓn並びにサイズＤSを定めて、さらにアドレス通知である旨を通知種別ＮKに格納すると共に、書き込みの成否を設定結果ＲRに格納してパケットを構成し、当該出力ユニット１ｎに送信するようになっている。このとき、出力ユニット１ｎは、書き込みが失敗した旨の通知を受けた場合には、情報通知ＩＮＦ＿ＮＯＴを再送して、自己のアドレスを再び通知するようになっている。
【０１０３】
尚、ＩＤ表示部２２ａは、一例として、バーコードからなるとして説明したが、複数の突起ないし凹部を形成するようにし、ＩＤ読取部２３ａが、その複数の突起を検知することで、ＩＤを読み取るようにしても良い。例えば、３つの突起夫々に２進数を割り当て、当該突起の有無を検知することでＩＤを検出するようにすることができる。具体的に説明すると、３つの突起が全て存在する場合にはＩＤは７、零乗を表す突起のみが存在する場合にはＩＤは１といった具合である。ＩＤ読取部２３ａの構成としては、当該突起と当接するスイッチ等を設け、突起が存在する場合には、ＯＮ又はＯＦＦとなるように施設することで、突起の判別を行うことができる。
【０１０４】
［第７の実施の形態］
次に、ラックに格納された順番にＩＤが付与される実施形態について、図１２に基づいて詳細に説明する。同図に示すように、本実施形態のラック２２は、出力ユニット１ｎの格納を検知する格納検知部２２ｂと、その検知を受けて、複数のＩＤが記憶されたＩＤテーブル２２ｃを参照し、空いているＩＤを順番に取得し出力する制御部２２ｄと、その出力されたＩＤを出力ユニット１ｎへと出力するＩＤ送信部２２ｅとを備える一方、出力ユニット１ｎには、ＩＤ送信部２２ｅから出力されるＩＤを取得するためのＩＤ受信部２３ｂが備えられている。
【０１０５】
各部の構成につき、より詳しく説明すると、格納検知部２２ｂは、例えば、出力ユニット１ｎと当接するスイッチであり、当該出力ユニット１ｎが格納されることで、釦部分が押圧されてスイッチがＯＮし、格納を検知することができるものである。尚、格納検知部２２ｂは、出力ユニット１ｎの格納が検知できればよく、これに限定されるものではない。例えば、能動型の光センサによって、その格納を検知するようにしても良いものである。また、ＩＤテーブル２２ｃは、不揮発性メモリからなり、制御部２２ｄの要求に応じて、記憶されているＩＤを出力するものである。
【０１０６】
制御部２２ｄは、マイコンからなり、格納検知部２２ｂからの検知出力を受けて、ＩＤテーブル２２ｃを参照し、空いているＩＤを順番に、ＩＤ送信部２２ｅへと出力するものである。そのＩＤ送信部２２ｅは、一例として、赤外線発光ダイオードからなる一方、ＩＤ受信部２３ｄはフォトダイオードからなり、ラック２２で設定され、ＩＤ送信部２２ｅから出力されたＩＤを含む信号を、ＩＤ受信部２３ｂにて受信できるようになっている。
【０１０７】
当該ＩＤ受信部２３ｂでは、その取得したＩＤを制御部１０ｂへと出力し、制御部１０ｂでは、上述の実施形態と同様にして、設定データ記憶部７ｂにそのＩＤを格納すると共に、情報通知ＩＮＦ＿ＮＯＴ（アドレス通知）のパケットを、制御ユニット１ａへと出力するようになっている。そして、そのアドレス通知を受けた制御ユニット１ａの制御部１０ａは、ユニット設定データ記憶部７ａに格納された動作管理パターンテーブルＴP1…nに当該ＩＤを格納するようになっている。
【０１０８】
［第８の実施の形態］
次に、ラックに格納された順番にＩＤが付与される他の実施形態について、図１０（ｂ）、図１３に基づいて詳細に説明する。本実施形態のラック２２は、出力ユニット１ｎを格納する機能を持った通常のラックであるが、出力ユニット１ｎには、ラックに格納されたことを検知する格納検知部２４が備えられている。格納検知部２４は、ラック２２の格納箇所と当接するスイッチであり、出力ユニット１ｎが格納されることで、釦部分が押圧されてスイッチがＯＮし、格納を検知することができるものである。尚、格納検知部２４は、上述の実施形態の格納検知部２２ｂと同様に格納が検知できればよく、これに限定されるものではない。例えば、能動型の光センサによって、その格納を検知するようにしても良いものである。
【０１０９】
次に、動作について詳しく説明すると、格納検知部２４により、ラックに収納されたことを検知されると、その旨の情報が制御部１０ｂへと出力される。制御部１０ｂでは、図１０（ｂ）に示すように、制御ユニット１ａの識別子をアドレスＡに指定して、タイプＴに制御要求ＣＯＮ＿ＲＥＱを格納し、所定のシーケンス番号Ｓn等を定める。また、新規設定要求を制御種別ＣKに格納すると共に、アドレス設定用として予め任意に定められる仮の識別子を自己アドレスＡSに格納してパケットを構成し、制御ユニット１ａに送信する。
【０１１０】
その新規設定要求を受けた制御ユニット１ａの制御部１０ａは、ユニット設定データ記憶部７ａに格納された動作管理パターンテーブルＴP1…nを参照して、順番に空いているＩＤを読み出し、図９（ａ）に示すように、任意に定められる仮の識別子（新規設定要求のあった出力ユニット１ｎの識別子）をアドレスＡに指定して、タイプＴに情報設定要求である旨のデータＳＥＴ＿ＲＥＱを格納し、さらに所定のシーケンス番号Ｓn等を定めて、ＩＤ設定指令を示すデータＩＤと、その出力ユニット１ｎに新規に設定されるＩＤを書き込みデータとして夫々情報フィールドＩnに格納し、当該出力ユニット１ｎに送信する。
【０１１１】
その情報設定要求を受けた出力ユニット１ｎの制御部１０ｂは、シーケンス番号Ｓnから、自己の新規設定要求に対する応答か確認し、自己が要求を出したシーケンス番号Ｓnと同一であれば、当該要求内容を設定部６を介して設定データ記憶部７ｂへと格納し、自己のＩＤが確定されるようになっている。そして、制御部１０ｂは、第１の実施形態と同様にして、図９（ｂ）に示すように、制御ユニット１ａの識別子をアドレスＡに指定して、タイプＴに情報設定応答である旨のデータＳＥＴ＿ＲＥＳを格納し、所定のシーケンス番号Ｓn等を定めて、情報フィールドＩnにＩＤ設定指令を示すデータＩＤと設定結果とを格納し、制御ユニット１ａに返信するようになっている。
【０１１２】
［第９の実施の形態］
次に、制御ユニット１ａ及び各出力ユニット１ｎがカスケード接続され、当該制御ユニット１ａからは所定電圧を持った信号が出力されていること及び、夫々の出力ユニット１ｎで内部抵抗による電圧降下が発生することを利用して、図１４に示すように、制御ユニット１ａから各出力ユニット１ｎまでの、基準電位（例えばアース）からの電位差を各出力ユニット１ｎで計測し、これらの電位差によってＩＤを付与する実施形態について、図１４、図１５に基づいて詳細に説明する。まず、図１５に示すように、本実施形態の出力ユニット１ｎは、カスケード接続されているその信号線上の電位を検出する電位検出部２５と、一例として、ＩＤ１は５．００〜４．９８Ｖ、ＩＤ２は４．９７〜４．９５Ｖといったように、複数のＩＤと複数の電圧値とが対応づけられたＩＤテーブル２６とを備えている。
【０１１３】
次に、動作について詳しく説明すると、本実施形態の制御部１０ｂは、電位検出部２５で検出された電圧値に基づいて、ＩＤテーブル２６を参照して、その電圧値に対応するＩＤを求め、設定データ記憶部７ｂにそのＩＤを格納するようになっている。そして、制御部１０ｂでは、上述の実施形態と同様にして、設定データ記憶部７ｂにそのＩＤを格納すると共に、情報通知ＩＮＦ＿ＮＯＴ（アドレス通知）のパケットを、制御ユニット１ａへと出力するようになっている。そして、そのアドレス通知を受けた制御ユニット１ａの制御部１０ａは、ユニット設定データ記憶部７ａに格納された動作管理パターンテーブルＴP1…nに当該ＩＤを格納するようになっている。
【０１１４】
［第１０の実施の形態］
次に、制御ユニット１ａ及び各出力ユニット１ｎがカスケード接続されていることを利用して、遅延時間によりＩＤを付与する実施形態につき、図３、図１６、図１７に基づいて詳細に説明する。まず、本実施形態の概念について、図１６に基づいて説明すると、制御ユニット１ａからは、所定間隔をおいて発せられる基準パルスを含むＩＤ基準信号と、そのＩＤ基準信号と同一の所定間隔をおいて発せられる計測用パルス（制御ユニット１ａから出力されるものは基準パルスと同等である）を含む計測用信号が出力されており、ＩＤ基準信号については、各出力ユニット１ｎの基準信号として用いられる。
【０１１５】
一方、計測用信号の計測用パルスについては、各出力ユニット１ｎにおいて、夫々遅延時間Δｔが加えられ、制御ユニット１ａから遠い出力ユニット１ｎへ行くに従って、遅延時間が加算されていく。そして、各出力ユニット１ｎにおいて、ＩＤ基準信号の基準パルスのパルス間時間と、計測用信号の遅延時間を含んだ計測用パルスのパルス間時間とを比較することにより、夫々の遅延時間を求めることができる。よって、その遅延時間から、予め定めておいた、複数のＩＤと複数の遅延時間とが対応づけられたＩＤテーブルを参照することで、各出力ユニット１ｎ毎にＩＤを求めることできる。
【０１１６】
次に、当該概念を具体的な実施形態として説明すると、まず図３に示すように、本実施形態における制御ユニット１ａのデータ通信部５ａは、各出力ユニット１ｎへカスケード接続される２つの信号線と夫々接続されており、制御部１０ａは、所定の間隔をおいて発せられる基準パルスを含むＩＤ基準信号並びに計測用信号を、データ通信部５ａを介して当該夫々の基準信号線上に出力する。一方、図１７に示すように、本実施形態における出力ユニット１ｎのデータ通信部５ｂは、当該夫々の信号線と接続されており、夫々ＩＤ基準信号並びに計測用信号から、基準パルスを取得するようになっている。
【０１１７】
また、出力ユニット１ｎは、上述の実施形態と同様にしてＩＤテーブル２６を備え、パルス間時間を求めて遅延時間を算出すると共に、計測用パルスに遅延を与える計時・遅延回路部２７を備えている。動作について説明すると、計時・遅延回路部２７は、データ通信部５ｂから夫々基準パルスと計測用パルスを取得し、夫々パルス間時間（あるパルスの終わりから、次のパルスの初めまでの時間）を求めて、両者の時間差を求めて遅延時間を計測する。また、計測用パルスに所定の遅延時間を与えて、その計測用パルスと基準パルスとをデータ通信部５ｂを介して、他の出力ユニット１ｎへＩＤ基準信号、計測用信号として夫々出力する。ここで、制御ユニット１ａから出力される計測用信号には、遅延時間がないので出力ユニット１ｂで計測される遅延時間は零となる（但し、任意の遅延時間を与えても良い）。
【０１１８】
さらに、計時・遅延回路部２７の動作について説明すると、当該計時・遅延回路２７は、求めた遅延時間を制御部１０ｂへと出力し、制御部１０ｂでは、その遅延時間からＩＤテーブル２６を参照してＩＤを求めるようになっている。ＩＤテーブル２６には、一例として、ＩＤ１は０ｍｓｅｃ〜１ｍｓｅｃ、ＩＤ２は１．１ｍｓｅｃ〜２ｍｓｅｃといったように、複数のＩＤと複数の遅延時間とが対応づけられて格納されている。そして、制御部１０ｂでは、上述の実施形態と同様にして、設定データ記憶部７ｂにそのＩＤを格納すると共に、情報通知ＩＮＦ＿ＮＯＴ（アドレス通知）のパケットを、制御ユニット１ａへと出力し、そのアドレス通知を受けた制御ユニット１ａの制御部１０ａは、ユニット設定データ記憶部７ａに格納された動作管理パターンテーブルＴP1…nに当該ＩＤを格納するようになっている。
【０１１９】
［第１１の実施の形態］
次に、制御ユニット１ａ及び各出力ユニット１ｎをカスケード接続する信号線上に、２進数を表すＩＤ信号を出力して、各出力ユニット１ｎ毎にビットを１ずつ増加又は減少させることで、当該各出力ユニット１ｎにＩＤを割り当てる実施形態につき、図１８、図１９に基づいて説明する。まず、本実施形態の概念について、図１８に基づいて説明すると、制御ユニット１ａ及び各出力ユニット１ｎをカスケード接続してなり、ＩＤ決定のために用いられる信号線は、出力ユニット１ｎの数に応じて、その本数が決定される。同図では、８ビットの例を示しており、信号線の数は０乗、１乗、２乗の３本となる。
【０１２０】
この例では、制御ユニット１ａは、ＩＤ＝０であるから、ＩＤ信号は何も出力されない。一方、出力ユニット１ｂでは、ビット加減算回路２８にて、ＩＤ信号を１ビット加算して、それを自己のＩＤとする。そして、当該出力ユニット１ｂは、０乗の信号線に１ビットの信号を、他の１乗、２乗の信号線には０ビットを出力する。次に、それらの信号、ＩＤ信号を受けた出力ユニット１ｃでは、同様にして、ビット加減算回路２８にて、ＩＤ信号を１ビット加算する。つまり、０乗の信号線に０ビットの信号を、１乗の信号線上には１ビットの信号を、２乗の信号線には０ビットを出力する。このように、出力ユニット１ｎ毎にビットを加算することで、当該出力ユニット１ｎのＩＤを決定するようになっている。尚、この例では１ビットずつ加算したが、１ビットずつ減算するようにしても良い。
【０１２１】
次に、当該概念を具体的な実施形態として説明すると、まず図３に示すように、本実施形態における制御ユニット１ａのデータ通信部５ａは、各出力ユニット１ｎへカスケード接続される複数の信号線と夫々接続されており、制御部１０ａは、ＩＤ信号を出力している。尚、この信号が出力されるのは、１ビットずつ減算する場合であって、１ビットずつ加算する場合には出力されない。一方、本実施形態の出力ユニット１ｎは、データ通信部５ｂを介して、制御ユニット１ａ並びに他の出力ユニット１ｎから出力されるＩＤ信号を、１ビットずつ加算又は減算を行うビット加減算回路２８を備えている。
【０１２２】
そして、上位に接続された出力ユニット１ｎ（制御ユニット１ａ）からＩＤ信号を受信すると、ビット加減算回路２８は、そのＩＤ信号に対して１ビット加算又は減算を行って、その加算等した結果を制御部１０ｂへ出力すると共に、データ通信部５ｂを介して、下位に接続された出力ユニット１ｎへとＩＤ信号を出力する。
【０１２３】
尚、制御部１０ｂでは、ビット加減算回路部２８から受信した結果を、自己のＩＤとして、設定データ記憶部７ｂに格納すると共に、上述の実施形態と同様にして、情報通知ＩＮＦ＿ＮＯＴ（アドレス通知）のパケットを、制御ユニット１ａへと出力し、そのアドレス通知を受けた制御ユニット１ａの制御部１０ａは、ユニット設定データ記憶部７ａに格納された動作管理パターンテーブルＴP1…nに当該ＩＤを格納するようになっている。また、ＩＤ信号を出力する信号線は、別途設けることなく、ＤＭＸ信号を出力するケーブルの空きケーブルを利用しても良いものである。
【図面の簡単な説明】
【０１２４】
【図１】本願発明の基本概念を説明するブロック図である。
【図２】本願発明のシステム構成を説明するブロック図である。
【図３】制御ユニット１ａの構成を示すブロック図である。
【図４】制御ユニット１ａのユニット設定データ記憶部７ａに格納される動作パターン管理テーブルＴp1…nを示す図である。
【図５】出力ユニット１ｎの構成を示すブロック図である。
【図６】制御ユニット１ａ及び各出力ユニット１ｎの通信に用いられるパケットであって、（ａ）はそのフォーマットを、（ｂ）は接続状況要求を、（ｃ）はその要求に対する応答のパケットを示した図である。
【図７】制御ユニット１ａ及び各出力ユニット１ｎの通信に用いられるパケットであって、（ａ）は情報通知を、（ｂ）はその通知に対する応答のパケットを示した図である。
【図８】制御ユニット１ａのユニット設定データ記憶部７ａに格納される出力ユニット管理テーブルＴaを示す図である。
【図９】制御ユニット１ａ及び各出力ユニット１ｎの通信に用いられるパケットであって、（ａ）は情報設定要求を、（ｂ）はその要求に対する応答のパケットを示した図である。
【図１０】（ａ）は出力ユニット１ｎにリセット入力部２１を備えた構成を示すブロック図であり、（ｂ）は制御ユニット１ａ及び各出力ユニット１ｎの通信に用いられるパケットであって、制御ユニット１ａに対する制御要求のパケットを示した図である。
【図１１】ラック２２に出力ユニット１ｎを備える実施形態を示した図であって、当該出力ユニット１ｎにＩＤ読取部２３ａを備えた構成を示すブロック図である。
【図１２】ラック２２に出力ユニット１ｎを備える実施形態を示した図であって、当該ラック２２に複数のＩＤを格納したＩＤテーブル２２ｃを備える一方、出力ユニット１ｎにＩＤ受信部２３ｂを備えた構成を示すブロック図である。
【図１３】ラック２２に出力ユニット１ｎを備える実施形態を示した図であって、当該出力ユニット１ｎに格納検知部２４を備えた構成を示すブロック図である。
【図１４】制御ユニット１ａ及び各出力ユニット１ｎがカスケード接続されていること及び電位差を利用して、各出力ユニット１ｎにＩＤを割り当てる概念を示す図である。
【図１５】出力ユニット１ｎに電位検出部２５並びにＩＤテーブル２６を備えた構成を示すブロック図である。
【図１６】制御ユニット１ａ及び各出力ユニット１ｎがカスケード接続されていること及び、当該各出力ユニット１ｎで信号に含まれるパルス間隔を遅延させることを利用して、各出力ユニット１ｎにＩＤを割り当てる概念を示す図である。
【図１７】出力ユニット１ｎにＩＤテーブル２６並びに計時・遅延回路部２７を備えた構成を示すブロック図である。
【図１８】制御ユニット１ａ及び各出力ユニット１ｎがカスケード接続されていること及び、当該各出力ユニット１ｎにおいて夫々ビット加減算を行うことを利用して、各出力ユニット１ｎにＩＤを割り当てる概念を示す図である。
【図１９】出力ユニット１ｎにビット加減算回路２８を備えた構成を示すブロック図である。
【図２０】従来の調光配線システムを示すブロック図である。
【図２１】従来の調光配線システムにおける各装置を示すブロック図であって、（ａ）〜（ｄ）は夫々、調光卓２、パッチ盤２９、スプリット３０、ＭＩＸ３１を示した図である。
【図２２】従来の調光配線システムにおける調光設計を示したブロック図である。
【符号の説明】
【０１２５】
１                チャネルデータ処理装置
１ａ              制御ユニット
１ｂ〜１ｇ、１ｎ  出力ユニット
３                照明機器
７ａ              ユニット設定データ記憶部
７ｂ              設定データ記憶部
９                入力データ用バッファ
１０ａ            制御部
１０ｂ            制御部
１２              出力データ用バッファ
１５              異常通知部
２１              リセット入力部
２２              ラック
２２ａ            ＩＤ表示部
２２ｂ            格納検知部
２２ｃ            ＩＤテーブル
２２ｄ            制御部
２２ｅ            ＩＤ送信部
２３ａ            ＩＤ読取部
２３ｂ            ＩＤ受信部
ＴP1…n        動作管理パターンテーブル
【図１】
2005044639.tif 000003
【図２】
2005044639.tif 000004
【図３】
2005044639.tif 000005
【図４】
2005044639.tif 000006
【図５】
2005044639.tif 000007
【図６】
2005044639.tif 000008
【図７】
2005044639.tif 000009
【図８】
2005044639.tif 000010
【図９】
2005044639.tif 000011
【図１０】
2005044639.tif 000012
【図１１】
2005044639.tif 000013
【図１２】
2005044639.tif 000014
【図１３】
2005044639.tif 000015
【図１４】
2005044639.tif 000016
【図１５】
2005044639.tif 000017
【図１６】
2005044639.tif 000018
【図１７】
2005044639.tif 000019
【図１８】
2005044639.tif 000020
【図１９】
2005044639.tif 000021
【図２０】
2005044639.tif 000022
【図２１】
2005044639.tif 000023
【図２２】
2005044639.tif 000024